【手続補正書】
【提出日】平成17年1月26日(2005.1.26)
【手続補正１】
【補正対象書類名】明細書
【補正対象項目名】特許請求の範囲
【補正方法】変更
【補正の内容】
【特許請求の範囲】
【請求項１】
閃光発光するフラッシュ手段を有するカメラにおいて、
前記フラッシュ手段の発光回数のカウント値が所定値を超えたときに、撮影レンズをカメラ本体に対して格納する動作規制手段を有することを特徴とするカメラ。
【請求項２】
閃光発光するフラッシュ手段を有するカメラにおいて、
フィルムの未装填時であって、かつ、前記フラッシュ手段の発光回数のカウント値が所定値を超えたときにのみ、カメラ動作を規制する動作規制手段を有することを特徴とするカメラ。
【請求項３】
前記動作規制手段は、フィルムが装填されたときは、前記カウント値をリセットすることを特徴とする請求項２に記載のカメラ。
【請求項４】
閃光発光するフラッシュ手段を有するカメラにおいて、
前記フラッシュ手段の発光回数のカウント値が所定値を超えたときに、カメラ動作を規制する動作規制手段を有し、
前記動作規制手段は、所定の操作部材が操作されたときは、前記カウント値をリセットすることを特徴とするカメラ。
【請求項５】
前記動作規制手段は、前記所定の操作部材が操作されたときは、前記カウント値を減じることを特徴とする請求項４に記載のカメラ。
【請求項６】
前記所定の操作部材が、電源スイッチ、撮影レンズにズーム動作を行わせるズーム用操作部材、リモコン操作を可能とするリモコン用操作部材のいずれかであることを特徴とする請求項４または５に記載のカメラ。
【請求項７】
前記カウント値が前記所定値を超えたときに、カメラ動作を規制する旨の警告表示を行う表示手段を有することを特徴とする請求項１から６のいずれか１つに記載のカメラ。
【手続補正２】
【補正対象書類名】明細書
【補正対象項目名】０００６
【補正方法】変更
【補正の内容】
【０００６】
【課題を解決するための手段】  
上記の目的を達成するために、本発明では、閃光発光するフラッシュ手段を有するカメラにおいて、フラッシュ手段の発光回数のカウント値が所定値を超えたときに、撮影レンズをカメラ本体に対して格納する動作規制手段を設けている。
【手続補正３】
【補正対象書類名】明細書
【補正対象項目名】０００７
【補正方法】変更
【補正の内容】
【０００７】
同様に上記の目的を達成するために、本発明では、閃光発光するフラッシュ手段を有するカメラにおいて、フィルムの未装填時であって、かつ、フラッシュ手段の発光回数のカウント値が所定値を超えたときにのみ、カメラ動作を規制する動作規制手段を設けている。
【手続補正４】
【補正対象書類名】明細書
【補正対象項目名】０００８
【補正方法】変更
【補正の内容】
【０００８】
同様に上記の目的を達成するために、本発明では、閃光発光するフラッシュ手段を有するカメラにおいて、フラッシュ手段の発光回数のカウント値が所定値を超えたときに、カメラ動作を規制する動作規制手段を有し、この動作規制手段は、所定の操作部材が操作されたときは、前記カウント値をリセットしている。
【手続補正５】
【補正対象書類名】明細書
【補正対象項目名】０００９
【補正方法】削除
【補正の内容】
【手続補正６】
【補正対象書類名】明細書
【補正対象項目名】００３２
【補正方法】変更
【補正の内容】
【００３２】
【発明が解決しようとする課題】
ワンチップマイクロコンピュータ（以下、マイコンという）１７は、ＣＰＵ１７１やＲＯＭ、ＲＡＭと、入出力制御（Ｉ／Ｏ ＣＯＮＴＲＯＬ）回路１７２と、Ａ／Ｄコンバータ（Ａ／Ｄ変換器）１７３と、マルチプレクサ１７４と、タイマ回路等とを含むマイコン内蔵ワンチップＩＣ回路からなる。このマイコン１７は、カメラシステムのコントロールをソフトウエアに従って行う。マイコン１７には、電源として定電圧出力Ｖｃｃが接続され、またスイッチ２がオンすると電池１（Ｖｂａｔ）が接続されている。
【手続補正７】
【補正対象書類名】明細書
【補正対象項目名】００４２
【補正方法】変更
【補正の内容】
【００４２】
７０１はＮＰＮトランジスタで、昇圧回路３の制御信号ＯＳＣを遮断するためトランジスタである。ＮＰＮトランジスタ７０１のベースは抵抗７０２を介してコンパレータ７００に接続されている。
【手続補正８】
【補正対象書類名】明細書
【補正対象項目名】００４４
【補正方法】変更
【補正の内容】
【００４４】
次に、昇圧動作を開始するためにマイコン１７は発振開始信号ＯＳＣ信号を“ローレベル（以下、ＬＬという）”から“ハイレベル（以下、ＨＬという）”にする。これによりダイオード３４を介してＦＥＴ３２がオンし、これに伴ってＰＮＰトランジスタ３１もオンし、発振トランス３６ａに電池１からの電源が供給されて発振がスタートする。
【手続補正９】
【補正対象書類名】明細書
【補正対象項目名】０１１５
【補正方法】変更
【補正の内容】
【０１１５】
（第２実施形態）
図１２には、本発明の第２実施形態であるカメラのシャッタ絞り制御シーケンスの後段部分を示している。なお、この図のシーケンスは、第１実施形態の図６にて説明したシャッタ絞り制御シーケンスの後段部分に代わるものである。また、本実施形態における他のシーケンスについては、第１実施形態と同じである。本実施形態では、図６に示すステップ１５１１の前に、ステップ１５０９にてＨカウンタ値がＸ回を超えたと判断されたときにレンズを沈胴位置（格納位置）に移動させて不図示のレンズバリアを閉じるステップ１５１０を挿入している。
【手続補正１０】
【補正対象書類名】明細書
【補正対象項目名】０１１７
【補正方法】変更
【補正の内容】
【０１１７】
【発明の効果】  
以上説明したように、本発明によれば、フラッシュ発光回数が所定回数を超えたときには撮影レンズをカメラ本体に対して格納しているので、フラッシュ手段の連続発光によるカメラの過熱を確実に防止するとともに、使用者に撮影動作が規制された状態であることをより明確に認識させることができる。
【手続補正１１】
【補正対象書類名】明細書
【補正対象項目名】０１１８
【補正方法】変更
【補正の内容】
【０１１８】
また、本発明によれば、フィルムの未装填時であって、かつ、フラッシュ発光回数が所定回数を超えたときにはカメラ動作を規制するようにしているので、特にフィルム給送やフィルム交換等が行われないためにフラッシュ手段が発生した熱がカメラ内に蓄積され易い状態にあるフィルム未装填時において、カメラの過熱を確実に防止することができる。
【手続補正１２】
【補正対象書類名】明細書
【補正対象項目名】０１１９
【補正方法】変更
【補正の内容】
【０１１９】
また、本発明によれば、フラッシュ発光回数が所定回数を超えたときにはカメラ動作を規制するとともに、電源スイッチやズーム用操作部材やリモコン用操作部材等の操作部材が操作されたとき、すなわちフラッシュ発光の間にある程度の時間が経過してカメラの温度の低下が期待できる場合には、発光回数のカウント値をリセットしたり減じたりすれば、不用意にカメラ動作が規制されてしまうのを防止しつつ、カメラの過熱を確実に防止することができる。
【手続補正１３】
【補正対象書類名】明細書
【補正対象項目名】０１２０
【補正方法】削除
【補正の内容】
【手続補正１４】
【補正対象書類名】図面
【補正対象項目名】図１
【補正方法】変更
【補正の内容】
【図１】
1999212151.tif 000001